(57)【要約】【課題】複数の仮設足場用幅木を上下に積み重ねた場合に、仮設足場用幅木相互の間で位置ずれが生ずることを有効に防止できる仮設足場用幅木の積み重ね構造を提供すること。【解決手段】複数の仮設足場用幅木１０Ａ〜１０Ｃが上下に積み重ねられる仮設足場用幅木の積み重ね構造であって、最下段の幅木１０Ａの上に下から２段目の幅木１０Ｂが、幅木１０Ａの裏側の凸部５１が幅木１０Ｂの裏側の凹部５２に、幅木１０Ｂの裏側の凸部５１が幅木１０Ａの裏側の凹部５２に、それぞれ嵌合して積み重ねられ、下から２段目の幅木１０Ｂの上に下から３段目の幅木１０Ｃが、幅木１０Ｂの表側の凸部５３が幅木１０Ｃの表側の凹部５５に、幅木１０Ｃの表側の凸部５３が幅木１０Ｂの表側の凹部５５に、それぞれ嵌合して積み重ねられる。【選択図】図８
2008297745.tif 000002
【特許請求の範囲】
【請求項１】
複数の仮設足場用幅木が上下に積み重ねられる仮設足場用幅木の積み重ね構造であって、上下に隣接する２個の仮設足場用幅木のうちの一方の仮設足場用幅木に、凸部と凹部のうち、少なくとも凸部が形成され、他方の仮設足場用幅木に、凸部と凹部のうち、少なくとも凹部が形成され、前記凸部が前記凹部に嵌合することにより、前記２個の仮設足場用幅木が上下に積み重ねられることを特徴とする仮設足場用幅木の積み重ね構造。
【請求項２】
請求項１に記載の仮設足場用幅木の積み重ね構造において、前記２個の仮設足場用幅木のそれぞれに前記凸部と前記凹部が複数形成され、それぞれの前記凸部がそれぞれの前記凹部に嵌合することにより、前記凸部と前記凹部を含めて形状及び構造が同じになっている前記２個の仮設足場用幅木が上下に積み重ねられることを特徴とする仮設足場用幅木の積み重ね構造。
【請求項３】
請求項１又は２に記載の仮設足場用幅木の積み重ね構造において、前記２個の仮設足場用幅木のそれぞれにはこれらの仮設足場用幅木の厚さ方向に突出した突出部が設けられ、この突出部には前記凸部と前記凹部のうちの一方が形成されているとともに、前記突出部から前記仮設足場用幅木の長手方向にずれた位置には他方が形成され、前記凸部が前記凹部に嵌合することによって前記２個の仮設足場用幅木が上下に積み重ねられたときに、これらの仮設足場用幅木の前記突出部同士が前記仮設足場用幅木の長手方向にずれていることを特徴とする仮設足場用幅木の積み重ね構造。
【請求項４】
請求項３に記載の仮設足場用幅木の積み重ね構造において、前記一方は前記凸部であって、前記他方は前記凹部であり、この凹部は、１個の前記凸部に対し、この凸部の位置から前記長手方向の両側に２個形成されていることを特徴とする仮設足場用幅木の積み重ね構造。
【請求項５】
３個以上の仮設足場用幅木が上下に積み重ねられる仮設足場用幅木の積み重ね構造であって、それぞれの前記仮設足場用幅木には、これらの仮設足場用幅木の厚さ方向両側となっている表側と裏側のうち、裏側へ突出した突出部が設けられているとともに、それぞれの前記仮設足場用幅木には、前記表側と前記裏側の両方において、凸部と凹部が設けられ、これらの凸部と凹部及び前記突出部を含めて形状及び構造が同じになっている前記３個以上の仮設足場用幅木のうち、上下に隣接する２個の仮設足場用幅木は、これらの仮設足場用幅木の前記突出部同士がこれらの仮設足場用幅木の長手方向にずれた状態で、裏側の前記凸部が裏側の前記凹部に嵌合することによって積み重ねられ、前記２個の仮設足場用幅木のうちの１個の仮設足場用幅木を含む上下に隣接する２個の仮設足場用幅木は、表側の前記凸部が表側の前記凹部に嵌合することによって積み重ねられることを特徴とする仮設足場用幅木の積み重ね構造。
【請求項６】
請求項１〜５のいずれかに記載の仮設足場用幅木の積み重ね構造において、前記凸部は、前記仮設足場用幅木を構成する部材同士を結合するための結合具によって形成されていることを特徴とする仮設足場用幅木の積み重ね構造。
【請求項７】
請求項６に記載の仮設足場用幅木の積み重ね構造において、前記仮設足場用幅木は、幅木本体と、この幅木本体の長手方向の端部に結合された延長部材とを含んで構成され、前記結合具は、前記幅木本体と前記延長部材とを結合するためのものであることを特徴とする仮設足場用幅木の積み重ね構造。
【発明の詳細な説明】
【技術分野】
【０００１】
本発明は、複数の仮設足場用幅木を運搬等のために積み重ねるための構造に係り、例えば、建築作業現場、土木作業現場、解体作業現場等の各種作業現場で用いられる仮設足場用幅木に利用できるものである。
【背景技術】
【０００２】
建築作業現場、土木作業現場、解体作業現場等の各種作業現場で構築される仮設足場には、作業者や工具の落下等を防止するために仮設足場用幅木が取り付けられ、このような仮設足場用幅木は、下記の特許文献１に示されている。
【特許文献１】特開２００２−２２７４０２号公報
【発明の開示】
【発明が解決しようとする課題】
【０００３】
仮設足場用幅木は、上記仮設足場を構築するために形状及び構造が同じになったものが多数用意され、全体が細長形状となっていて厚みがあるこれらの仮設足場用幅木は、各種作業現場へ搬送される際や各種作業現場から搬出される際に、輸送効率や取り扱い性を良好等とするために、厚さ方向を上下方向として上下に積み重ねられる。しかし、このように複数の仮設足場用幅木を上下に積み重ねた場合には、仮設足場用幅木相互の間で位置ずれが生じやすくなり、従来、このような位置ずれが生ずることを有効に防止するための充分な工夫はなされていない。
【０００４】
本発明の目的は、複数の仮設足場用幅木を上下に積み重ねた場合に、仮設足場用幅木相互の間で位置ずれが生ずることを有効に防止できるようになる仮設足場用幅木の積み重ね構造を提供するところにある。
【課題を解決するための手段】
【０００５】
本発明に係る仮設足場用幅木の積み重ね構造は、複数の仮設足場用幅木が上下に積み重ねられる仮設足場用幅木の積み重ね構造であって、上下に隣接する２個の仮設足場用幅木のうちの一方の仮設足場用幅木に、凸部と凹部のうち、少なくとも凸部が形成され、他方の仮設足場用幅木に、凸部と凹部のうち、少なくとも凹部が形成され、前記凸部が前記凹部に嵌合することにより、前記２個の仮設足場用幅木が上下に積み重ねられることを特徴とするものである。
【０００６】
本発明では、上下に隣接する２個の仮設足場用幅木のうちの一方の仮設足場用幅木に、凸部と凹部のうち、少なくとも凸部が形成され、他方の仮設足場用幅木に、凸部と凹部のうち、少なくとも凹部が形成され、凸部が凹部に嵌合することにより、２個の仮設足場用幅木が上下に積み重ねられるため、凹部への凸部の嵌合により、上下に隣接する２個の仮設足場用幅木相互の間で位置ずれが生ずることを有効に防止できることになる。
【０００７】
本発明において、上下に隣接する２個の仮設足場用幅木のうちの一方の仮設足場用幅木に、凸部と凹部のうち、少なくとも凸部を形成し、他方の仮設足場用幅木に、凸部と凹部のうち、少なくとも凹部を形成するための形態は、任意である。その一例は、上下に隣接する２個の仮設足場用幅木のそれぞれに前記凸部と前記凹部の両方を複数形成し、それぞれの凸部がそれぞれの凹部に嵌合することにより、凸部と凹部を含めて形状及び構造が同じになっている２個の仮設足場用幅木を上下に積み重ねることである。
【０００８】
これによると、それぞれの仮設足場用幅木に凸部と凹部の両方が複数形成されているため、凸部が凹部へ嵌合した箇所は複数できることになり、このため、仮設足場用幅木相互の間で水平面方向の回転ずれが生ずることも防止できる。
【０００９】
さらに、これによると、それぞれの仮設足場用幅木は、上述の凸部と凹部を含めて形状及び構造を同じにできるため、多数の仮設足場用幅木を有効に量産することができる。
【００１０】
また、それぞれの仮設足場用幅木にこれらの仮設足場用幅木の厚さ方向に突出した突出部が設けられる場合には、この突出部に凸部と凹部のうちの一方を形成するとともに、突出部から仮設足場用幅木の長手方向にずれた位置に他方を形成し、凸部が凹部に嵌合することによって上下に隣接する２個の仮設足場用幅木が上下に積み重ねられたときに、これらの仮設足場用幅木の突出部同士が仮設足場用幅木の長手方向にずれるようにしてもよい。
【００１１】
これによると、仮設足場用幅木に厚さ方向に突出した突出部が設けられていても、凸部が凹部に嵌合することによって上下に隣接する２個の仮設足場用幅木が上下に積み重ねられたときに、これらの仮設足場用幅木の突出部同士は仮設足場用幅木の前記長手方向にずれるため、仮設足場用幅木の全体の積み重ね高さ寸法を、上記突出部による影響を抑制して低く抑えることができ、積み重ねられた仮設足場用幅木が不安定になることをなくすことができる。
【００１２】
また、このように仮設足場用幅木の突出部に凸部と凹部のうちの一方を形成するとともに、突出部から仮設足場用幅木の長手方向にずれた位置に他方を形成する場合には、上記一方を凸部とし、上記他方を凹部としてもよく、あるいは、上記一方を凹部とし、上記他方を凸部としてもよい。
【００１３】
そして、上記一方を凸部とし、上記他方を凹部とする場合には、この凹部を、１個の前記凸部に対し、この凸部の位置から前記長手方向の両側に２個形成してもよい。
【００１４】
これによると、２個の凹部のうちから凸部を嵌合する１個の凹部を選択することにより、上下に隣接する２個の仮設足場用幅木を積み重ねる際に、下側の仮設足場用幅木の突出部に対して上側の仮設足場用幅木の突出部を仮設足場用幅木の長手方向のどちらの側にもずらせることができるようになり、また、凸部が嵌合されなかった凹部に仮設足場用幅木の突出部以外に部分が当接ことになっても、この凹部は仮設足場用幅木の積み重ね方向である高さ方向の寸法を有しないため、上記２個の仮設足場用幅木を安定させて積み重ねることができる。
【００１５】
また、本発明に係る仮設足場用幅木の積み重ね構造は、３個以上の仮設足場用幅木が上下に積み重ねられる仮設足場用幅木の積み重ね構造であって、それぞれの前記仮設足場用幅木には、これらの仮設足場用幅木の厚さ方向両側となっている表側と裏側のうち、裏側へ突出した突出部が設けられているとともに、それぞれの前記仮設足場用幅木には、前記表側と前記裏側の両方において、凸部と凹部が設けられ、これらの凸部と凹部及び前記突出部を含めて形状及び構造が同じになっている前記３個以上の仮設足場用幅木のうち、上下に隣接する２個の仮設足場用幅木は、これらの仮設足場用幅木の前記突出部同士がこれらの仮設足場用幅木の長手方向にずれた状態で、裏側の前記凸部が裏側の前記凹部に嵌合することによって積み重ねられ、前記２個の仮設足場用幅木のうちの１個の仮設足場用幅木を含む上下に隣接する２個の仮設足場用幅木は、表側の前記凸部が表側の前記凹部に嵌合することによって積み重ねられることを特徴とするものである。
【００１６】
この仮設足場用幅木の積み重ね構造によると、それぞれの仮設足場用幅木には、これらの仮設足場用幅木の表側と裏側の両方において、凸部と凹部が設けられ、積み重ねられる３個以上の仮設足場用幅木のうち、上下に隣接する２個の仮設足場用幅木は、裏側の凸部が裏側の凹部に嵌合することによって積み重ねられ、そして、これら２個の仮設足場用幅木のうちの１個の仮設足場用幅木を含む上下に隣接する２個の仮設足場用幅木は、表側の凸部が表側の凹部に嵌合することによって積み重ねられるため、上下に隣接する仮設足場用幅木同士を、裏側同士の対面と表側同士の対面によって積み重ねことができ、これを繰り返すことにより、４個以上の仮設足場用幅木を積み重ねることができる。
【００１７】
また、この仮設足場用幅木の積み重ね構造によると、それぞれの仮設足場用幅木に、これらの仮設足場用幅木の厚さ方向両側となっている表側と裏側のうち、裏側へ突出した突出部が設けられていても、上下に隣接する２個の仮設足場用幅木は、これらの仮設足場用幅木の突出部同士がこれらの仮設足場用幅木の長手方向にずれた状態で、裏側の凸部が裏側の凹部に嵌合することによって積み重ねられるため、上記突出部による影響を抑制して仮設足場用幅木の全体の積み重ね高さ寸法を低く抑えることができ、積み重ねられた仮設足場用幅木が不安定になることをなくすことができる。
【００１８】
さらに、この仮設足場用幅木の積み重ね構造によると、それぞれの仮設足場用幅木は、上述の凸部と凹部及び突出部を含めて形状及び構造を同じにできるため、多数の仮設足場用幅木を有効に量産することができる。
【００１９】
以上説明した本発明において、仮設足場用幅木に設ける凸部と凹部は、任意な形態のものでよい。すなわち、凸部は、仮設足場用幅木を構成する部材同士を結合するための結合具でもよく、仮設足場用幅木を構成する部材の一部にプレス加工で形成した突起でもよく、仮設足場用幅木を構成する部材に溶接等で取り付けた小片部材等でよい。そして、凹部は、孔（又は穴）でもよく、窪みでもよく、溝でもよい。また、上記結合具は、ボルト・ナットでもよく、リベットでもよく、鳩目金具でもよい。
【００２０】
凸部を、仮設足場用幅木を構成する部材同士を結合するための結合具とする場合において、仮設足場用幅木を構成するこれらの部材は任意な部材でよく、その一例は、仮設足場用幅木が、幅木本体と、この幅木本体の長手方向の端部に結合された延長部材とを含んで構成される場合には、結合具で結合される部材を、幅木本体と延長部材にすることである。
【発明の効果】
【００２１】
本発明によると、複数の仮設足場用幅木を上下に積み重ねた場合に、仮設足場用幅木相互の間で位置ずれが生ずることを有効に防止できるという効果を得られる。
【発明を実施するための最良の形態】
【００２２】
以下に本発明を実施するための形態を図面に基づいて説明する。初めに、本実施形態に係る仮設足場用幅木の構造及び作用について説明する。
【００２３】
図１は、本実施形態に係る仮設足場用幅木１０が用いられた仮設足場１を示し、この仮設足場１は、建物の建築現場で構築されたものであって、並設された複数の建枠２と、これらの建枠２同士の間に水平に架設された布板３と、建枠２同士の間に斜めに掛け渡されたブレース４と、建枠２同士の間に水平に掛け渡された手摺り５とを含んで構成されている。手摺り５は、仮設足場１における建物とは反対側の背面側に配設され、左右方向を長手方向とする幅木１０は、この背面側となっている布板３の側端部に、布板３の長さ方向に沿って取り付けられる。これにより、布板３の上に乗って作業を行う作業者や布板３の上に載せられている工具類等が仮設足場１の背面側から落下することが、幅木１０によって防止される。
【００２４】
図２は、幅木１０の厚さ方向の一方の面、すなわち、幅木１０の厚さ方向両側の面となっている表側の面と裏側の面とのうち、布板３の上に乗った作業者から見ることができる幅木１０の表側の面を示す斜視図であり、図３は、幅木１０の裏側の面を示す斜視図である。そして、図４は、図２のＳ４−Ｓ４線断面図である。これらの図面に示されているように、幅木１０は、板金製の幅木本体１１と、板金製の延長部材１２と、ねじ軸１３と、板金製のストッパ部材１４と、厚板金属製又は鋳物製のフック部材１５と、板金製のカバー部材１６と、板金製の補助部材１７と、を主要部材として構成されている。
【００２５】
図３に示されているとおり、左右方向に細長い部材となっている幅木本体１１は、鉛直のウェブ部１１Ａと、このウェブ部１１Ａの上下両端から前記裏側の水平方向に延びる上下フランジ部１１Ｂ，１１Ｃと、これらのフランジ部１１Ｂ，１１Ｃの先端から互いに接近する上下方向に延びる上下リップ部１１Ｄ，１１Ｅとを有するチャンネル形状となっており、本実施形態では、上下リップ部１１Ｄ，１１Ｅの先端には、ウェブ部１１Ａ側へ折り曲げられた上下折曲片１１Ｆ，１１Ｇが設けられている。上下フランジ部１１Ｂ，１１Ｃのうち、下フランジ部１１Ｃの裏側への水平延出量は、上フランジ部１１Ｂの裏側への水平延出量よりも少し長くなっている。
【００２６】
幅木本体１１の左右方向長さは、図１で示した仮設足場１の互いに隣り合っている２個の建枠２の間隔よりも少し短い長さとなっている。この幅木本体１１の長さ方向の両端部には、図２及び図３で示されているとおり、延長部材１２がボルト・ナットによる結合具１８で結合され、図１で示されているように、２個の幅木１０が、これらの幅木１０の長手方向に直列的に配置されて２個の布板３に取り付けられたとき、これらの幅木１０の互いに向かい合う側の２個の延長部材１２同士が重なり合い、これにより、これらの幅木１０の間に隙間が生じないようになっている。また、重なり合った延長部材１２は建枠２の縦材２Ａと対面するとともに、反対側の延長部材１２も他の建枠２の縦材２Ａと対面するようになっており、これにより、それぞれの幅木１０が、幅木１０の長さ方向と直交する水平方向である幅木１０の厚さ方向の荷重であって仮設足場１の前記背面側への荷重を受けたとき、この荷重を、延長部材１２を介して建枠２の縦材２Ａによって支持できるようになっている。
【００２７】
また、図２及び図３に示されているように、それぞれの延長部材１２の上下部には、略半円形に湾曲成形された補強部１２Ａが設けられ、これらの補強部１２Ａにより、上記荷重に対する延長部材１２の曲げ強度が大きくなっている。
【００２８】
本実施形態に係る幅木１０には、２個のねじ軸１３が幅木１０の長手方向に間隔をあけて配置され、これらのねじ軸１３ごとに、前述したストッパ部材１４とフック部材１５とカバー部材１６と補助部材１７とが幅木本体１１に配置されている。
【００２９】
幅木本体１１の上フランジ部１１Ｂには、それぞれのねじ軸１３を配置する位置において、図４で示されているように、切欠部１９が形成され、幅木本体１１の上リップ部１１Ｄと上折曲部１１Ｆまで達しているこの切欠部１９は、ねじ軸１３を幅木１０の裏側から挿入できるように、幅木１０の裏側から切り込まれている。また、ストッパ部材１４は、上フランジ部１１Ｂの上に載せられた上面部１４Ａを有しており、上フランジ部１１Ｂにリベット等の結合具で結合されているこの上面部１４Ａには、ねじ軸１３を挿入できる切欠部２０が形成され、この切欠部２０は幅木１０の表側から切り込まれている（図２も参照）。
【００３０】
図４に示されているとおり、ねじ軸１３の上端に形成された頭部１３Ａは、ストッパ部材１４の上面部１４Ａの上に載せられ、幅木１０の裏側においてこの上面部１４Ａから垂下している垂下部１４Ｂの下端には、上面部１４Ａと平行になっているストッパ部１４Ｃが形成されており、このストッパ部１４Ｃには、ねじ軸１３を挿入するための切欠部２１が幅木１０の表側から切り込まれている。ねじ軸１３には、ストッパ部１４Ｃの下側において、フランジ部１３Ｂが形成されており、このため、幅木本体１１におけるねじ軸１３の高さ位置は、頭部１３Ａが上から当接するストッパ部材１４の上面部１４Ａと、フランジ部１３Ｂが下から当接するストッパ部材１４のストッパ部１４Ｃとにより、常に一定位置に保持されており、ねじ軸１３を頭部１３Ａに係合させた工具や手で回転させても、ねじ軸１３は一定の高さ位置を維持するようになっている。
【００３１】
図３に示されているように、幅木本体１１におけるフック部材１５が配置される箇所には、幅木本体１１の前述の下フランジ部１１Ｃと下リップ部１１Ｅと下折曲部１１Ｇとを切り取ることによって形成された切欠部２２が設けられ（図４も参照）、この切欠部２２からフック部材１５の上部が幅木本体１１の内部に挿入されている。図４に示すとおり、フック部材１５は、溶接一体化されたナット部材２５による螺入部１５Ａが設けられていて、ねじ軸１３の下部が挿入される上下の貫通孔が形成されている上辺部１５Ｂと、この上辺部１５Ｂにおける幅木１０の裏側の端部から鉛直下向きに延びる下向き延出部１５Ｃと、この下向き延出部１５Ｃの下端から幅木１０の表側へ水平に延びる下辺部１５Ｄと、この下辺部１５Ｄの先端から斜め上向きに延びる斜め上向き延出部１５Ｅとからなる。フック部材１５は、下向き延出部１５Ｃの途中から幅木本体１１の下側へ突出しており、このため、下辺部１５Ｄと斜め上向き延出部１５Ｅは、幅木本体１１の下側に露出している。
【００３２】
また、図４に示されているように、ねじ軸１３の下部は、フック部材１５の上辺部１５Ｂに設けられた螺入部１５Ａに上から螺入されている。
【００３３】
幅木１０の裏側に配置される図３で示すカバー部材１６は、幅木１０の表側の面と上下面とが開口面となっていて同一断面が上下方向に連続している矩形部１６Ａと、この矩形部１６Ａの幅木本体１１側の端部から左右の互いに離れる方向に折り曲げられた２個のフランジ部１６Ｂとからなる断面ハット形状となっている。矩形部１６Ａの内側の左右寸法は、フック部材１５の左右寸法よりも若干大きく、また、矩形部１６Ａの外側の左右寸法は、幅木本体１１に形成されている前記切欠部２２の左右寸法と対応する寸法となっている。また、カバー部材１６の全体の上下寸法は、図４から分かるように、幅木本体１１の上リップ部１１Ｄの上下方向寸法と下フランジ部１１Ｃの厚さ寸法と上折曲部１１Ｆの厚さ寸法とを差し引いた幅木本体１１の全体上下寸法と同じ又はこれより若干小さくなっている。
【００３４】
このような形状及び寸法となっているカバー部材１６は、図３で示されているように、２個のフランジ部１６Ｂが幅木本体１１のウェブ部１１Ａに当接するまで、矩形部１６Ａの大部分が前記切欠部２２から幅木本体１１の内部に挿入され、幅木本体１１の内部に挿入できない矩形部１６Ａの部分を切欠部２２から幅木本体１１の外部裏側へ突出させる。そして、フランジ部１６Ｂをリベット等の結合具でウェブ部１１Ａに結合することにより、カバー部材１６は幅木本体１１に取り付けられる。
【００３５】
このようにカバー部材１６を幅木本体１１に取り付けると、ストッパ部材１４の上面部１４Ａから頭部１３Ａが突出しているねじ軸１３の略全部は、カバー部材１６の矩形部１６Ａの内部に収納されるため、このねじ軸１３の略全部はカバー部材１６によって覆われることになり、また、フック部材１５の上辺部１５Ｂもカバー部材１６の内部に収納されることになる。
【００３６】
そして、上述したように、矩形部１６Ａの内側の左右寸法は、フック部材１５の左右寸法よりも若干大きい寸法となっているため、ねじ軸１３を頭部１３Ａでの回転操作で回転させることにより、このねじ軸１３が螺入している螺入部１５Ａを有しているフック部材１５は、ねじ軸１３を中心とした回転がカバー部材１６で阻止されながらねじ軸１３のねじ送り作用によって上下方向に移動することになり、フック部材１５は、カバー部材１６に案内されながら上下動することになる。
【００３７】
なお、本実施形態では、図３で示すように、ストッパ部材１４には、カバー部材１６の矩形部１６Ａの外側面にあてがわれる側面部１４Ｄが設けられており、この側面部１４Ｄは、矩形部１６Ａの外側面にリベット等の結合具で結合されるようになっている。
【００３８】
前述した図２で示す補助部材１７は板材の折り曲げで形成され、図４で示されているとおり、この補助部材１７は、幅木本体１１のウェブ部１１Ａの外面に当てがわれる鉛直部１７Ａと、この鉛直部１７Ａの下端から幅木１０の裏側へ屈曲した水平部１７ＢとからなるＬ字状である。鉛直部１７Ａは、カバー部材１６のフランジ部１６Ｂを幅木本体１１のウェブ部１１Ａに結合するための上記結合具により、フランジ部１６Ｂと共にウェブ部１１Ａに共締めされている。
【００３９】
幅木本体１１の下面に配置される補助部材１７の水平部１７Ｂには、図４で示すように、下方へ突出する突条部２７が形成されており、この突条部２７は、幅木１０の長手方向となっている補助部材１７の左右方向の幅の全長に渡って連続している。この突条部２７は、図１の仮設足場１の構成部材となっている布板３の表面の図５及び図６で示す側端部に形成された溝２８に上から挿入できるものになっている。この溝２８は、布板３の上に乗る作業者のスリップ止めのために布板３の幅方向に複数形成されたうちの一つである。
【００４０】
なお、布板３は、布板３の輪郭と骨組みを形成している複数のフレーム部材３１と、これらのフレーム部材３１の上面に固定された天板部材３２とを含んで構成され、幅木１０は、布板３のうち、側部フレーム部材３１Ａによって下方へ突出した突出部３Ａが形成されている側端部において、布板３に下記のように取り付けられるようになっている。
【００４１】
幅木１０を布板３に取り付けるときには、ねじ軸１３の回転により、図５で示すように、フック部材１５の上辺部１５Ｂを幅木本体１１の下フランジ部１１Ｃの上面近くまで達しているねじ軸１３の下端の近傍まで降ろし、これにより、幅木本体１１の下面とフック部材１５の下辺部１５Ｄとの間隔を布板３の突出部３Ａの上下寸法よりも大きくする。次いで、幅木本体１１の下面とフック部材１５の下辺部１５Ｄとの間に突出部３Ａが入るように、幅木１０を布板３の幅方向内側へ移動させ、この後、ねじ軸１３を頭部１３Ａの回転操作で回転させてフック部材１５を上方へ移動させることにより、図６で示すとおり、フック部材１５の下辺部１５Ｄと幅木本体１１の下面とにより、布板３の下方へ突出した突出部３Ａが設けられている布板３の側端部を挟着する。これにより、幅木１０は布板３に取り付けられることになる。
【００４２】
以上のように行われる布板３への幅木１０の取付作業の開始時において、図５で示すように、布板３に対する幅木１０の位置が正確な位置となっておらず、この正確な位置から幅木１０が布板３の幅方向外側へＷ分だけずれている場合には、ねじ軸１３の回転でフック部材１５を上方へ移動させる途中において、フック部材１５の前述した斜め上向き延出部１５Ｅは下辺部１５Ｄから斜め上向きに延びているため、斜め上向き延出部１５Ｅが布板３の突出部３Ａの内側の角部３Ｂに当接することになる。そして、ねじ軸１３の回転操作を継続させてフック部材１５を引き続き上方へ移動させることにより、上述のように傾斜している斜め上向き延出部１５Ｅの案内作用により、幅木１０の位置は布板３の幅方向内側へ自動的に修正されることになる。このため、図６のようにフック部材１５の下辺部１５Ｄと幅木本体１１の下面とにより、突出部３Ａが設けられている布板３の側端部が挟着されたときには、幅木１０は布板３の所定位置に取り付けられていることになる。
【００４３】
また、この取り付け後において、フック部材１５の斜め上向き延出部１５Ｅは、布板３の突出部３Ａの内側の面と対面しているため、幅木１０が布板３の幅方向外側へ移動することは斜め上向き延出部１５Ｅで阻止され、幅木１０が布板３の幅方向内側へ移動することはフック部材１５の下向き延出部１５Ｃで阻止される。
【００４４】
さらに、このときには、補助部材１７の突条部２７は布板３の溝２８に係合しているため、これらの突条部２７と溝２８により、布板３に対する幅木１０の滑り防止及び位置決めが行われている。
【００４５】
次に、図１で示した仮設足場１を構築するために用いる複数の幅木１０を仮設足場１の構築現場に搬送するために、又は、仮設足場１の構築に用いられていた複数の幅木１０を仮設足場１の解体現場から搬出するために、これらの幅木１０を、それぞれの幅木１０の厚さ方向である上下方向に積み重ねるための構造について説明する。
【００４６】
図７は、幅木１０を上下５段１０Ａ〜１０Ｅに積み重ねた状態を示す側面図であり、図８は、これらの幅木１０のうち、積み重ねたときにおける下から３段目までの幅木１０Ａ〜１０Ｃについての左右方向（それぞれの幅木１０の長手方向）の位置関係を示す図であり、下から２段目と３段目の幅木１０Ｂ，１０Ｃについては、表裏両側を示している。
【００４７】
前述したように、図３で示されているカバー部材１６の矩形部１６Ａの大部分は切欠部２２から幅木本体１１の内部に挿入されているが、幅木本体１１の内部に挿入されていない矩形部１６Ａの部分は幅木本体１１の裏側へ突出している。このため、カバー部材１６により、幅木１０の厚さ方向のうち、幅木１０の裏側へ突出した突出部５０が形成されていることになり、この突出部５０は、カバー部材１６と同じ個数の２個が幅木１０の長手方向に設けられている。また、それぞれの突出部５０には、突出部５０の下部において、突起部４０が形成され、幅木１０の裏側の凸部５１となっているこの突起部４０は、板金製となっているカバー部材１６を押し出しプレス加工によって形成されている。
【００４８】
また、図３に示されているとおり、幅木本体１１の上リップ部１１Ｄには、それぞれの突出部５０の両側において、２個の孔４１が幅木本体１１の長手方向に離れて形成され、これらの孔４１は、幅木１０の裏側の凹部５２となっている。
【００４９】
さらに、図２に示されているように、前述した幅木本体１１と延長部材１２とを結合している結合具１８は、幅木１０の表側の凸部５３を形成するものとなっており、この凸部５３は、１個の延長部材について上下方向に２個ある。また、図２に示されているように、幅木本体１１の長手方向のそれぞれの端部の近くに設けられた結合具１８よりも幅木本体１１の長手方向の内側には、板金製の幅木本体１１をプレス加工することにより、幅木１０の表側へ突出したリング状のビード部５４が形成され、このビード部５４の内部は、ビード部５４に対して相対的に幅木１０の裏側へ窪んだ窪み部４２となっているため、この窪み部４２により、幅木１０の表側の凹部５５が形成されている。この凹部５５も、凸部５３と同じく、上下方向に２個ある。
【００５０】
以上において、図８に示されているとおり、幅木１０の裏側に２個設けられているそれぞれの突出部５０は、幅木１０の長手方向のそれぞれの端部から同じ距離にあり、また、それぞれの突出部５０における幅木１０の裏側の凸部５１は、幅木１０の長手方向である突出部５０の幅方向の中央部に形成されている。また、幅木１０の裏側において、幅木本体１１の長手方向に離れて突出部５０の両側に形成されているそれぞれの凹部５２は、幅木１０の長手方向における凸部５１からの距離が等しい箇所に設けられ、これらの距離はＬ１である。さらに、これらの距離Ｌ１は、突出部５０についての幅木１０の長手方向の寸法Ｌ２よりも少し大きい。
【００５１】
また、図８に示されているように、幅木１０の表側において、幅木本体１１の長手方向のそれぞれの端部の近くに設けられている凸部５３は、幅木１０の長手方向のそれぞれの端部から同じ距離にあり、さらに、幅木１０の表側において、凸部５３よりも幅木本体１１の長手方向の内側に設けられているそれぞれの凹部５５も、幅木１０の長手方向のそれぞれの端部から同じ距離にある。幅木１０の長手方向におけるこれらの凸部５３と凹部５５との間の距離はＬ３であり、この距離Ｌ３は、突出部５０についての幅木１０の長手方向の寸法Ｌ２よりも少し大きい。なお、Ｌ３＝Ｌ１としてもよい。
【００５２】
また、上下２個設けられている幅木１０の表側の凸部５３の距離はＬ４であり、上下２個設けられている幅木１０の表側の凹部５５の距離もＬ４である。
【００５３】
次に、表裏両側の凸部５１，５３と凹部５２，５５と裏側の突出部５０とを含めて同じ寸法、形状、構造で形成された複数の幅木１０を上下に積み重ねる作業について説明する。
【００５４】
図７で示す上下５段の幅木１０Ａ〜１０Ｅのうち、最下段の幅木１０Ａは、この図７に示されているように、表側を下側として図示しない積み重ね台等の上に載せられる。次に、下から２段目の幅木１０Ｂは、裏側を下側として最下段の幅木１０Ａの上に積み重ねられ、すなわち、最下段の幅木１０Ａと下から２段目の幅木１０Ｂは、互いに裏側同士が対面して積み重ねられ、この積み重ねは、最下段の幅木１０Ａの上下方向の向きと、下から２段目の幅木１０Ｂの上下方向の向きとを逆にして（図７は、両方の幅木１０Ａ，１０Ｂの厚さ方向が上下方向となっている図になっているため、図７では、最下段の幅木１０Ａの左右方向の向きと、下から２段目の幅木１０Ｂの左右方向の向きとを逆にして）行うとともに、最下段の幅木１０Ａに対して下から２段目の幅木１０Ｂを、幅木１０の長手方向に図８の距離Ｌ１分だけずらせて行う。これにより、最下段の幅木１０Ａの裏側の凸部５１を、下から２段目の幅木１０Ｂの裏側の凹部５２に嵌合し、最下段の幅木１０Ａの裏側の凹部５２に、下から２段目の幅木１０Ｂの裏側の凸部５１に嵌合する。この状態が図９で示されている。
【００５５】
このように最下段の幅木１０Ａの上に下から２段目の幅木１０Ｂを積み重ねたときに、凸部５１を凹部５２に嵌合することにより、本実施形態によると、これらの幅木１０Ａと１０Ｂの間で位置ずれが生ずることを有効に防止できる。また、凸部５１と、この凸部５１が嵌合する凹部５２とのそれぞれは、幅木１０Ａ，１０Ｂの長手方向に複数設けられているため、最下段の幅木１０Ａに対して下から２段目の幅木１０Ｂが水平方向に回転ずれすることも有効に防止できる。
【００５６】
さらに本実施形態によると、最下段の幅木１０Ａに対して下から２段目の幅木１０Ｂは、幅木１０の長手方向に、突出部５０についての幅木１０の長手方向の寸法Ｌ２よりも大きい図８の距離Ｌ１分だけずらされて積み重ねられるため、この積み重ねを、突出部５０が突出している両方の幅木１０Ａ，１０Ｂの裏側同士を対面させて行わせても、これらの突出部５０を幅木１０Ａ，１０Ｂの長手方向にずらせることができ、突出部５０同士が当接しないため、突出部５０による影響を抑制して２個の幅木１０Ａ,１０Ｂの積み重ね高さを低く抑えることができる。
【００５７】
また、本実施形態によると、２段目の幅木１０Ｂの裏側の凹部５２は、凸部５１に対して幅木１０の長手方向両側に２個あり、これらの凹部５２と凸部５１との幅木１０の長手方向における距離は、同じＬ１となっているため、最下段の幅木１０Ａの突出部５０に対して下から２段目の幅木１０Ｂの突出部５０を幅木１０に長手方向にずらせてこれらの幅木１０Ａと１０Ｂを積み重ねる際に、最下段の幅木１０Ａの突出部５０に対して下から２段目の幅木１０Ｂの突出部５０を、幅木１０の長手方向の任意な側へずらせることができ、任意な側へずらせても凸部５１を凹部５２に嵌合することができ、さらに、凸部５１が嵌合されずに残った凹部５２は、幅木１０の裏側へ突出しない形状となっているため、この残った凹部５２に、最下段の幅木１０の幅木本体１１の下リップ部１１Ｅが当接することにより、２個の幅木１０Ａと１０Ｂを安定させて積み重ねることができる。
【００５８】
以上の積み重ねにより、下から２段目の幅木１０Ｂの表側は、図７で示されているように、上向きとなっており、この下から２段目の幅木１０Ｂの上に、図７に示されているように、下から３段目の幅木１０Ｃを、この下から３段目の幅木１０Ｃの表側を下向きにして積み重ねる。すなわち、両方の幅木１０Ｂと１０Ｃを表側同士を対面させて積み重ね、この積み重ねは、下から２段目の幅木１０Ｂの上下方向の向きと、下から３段目の幅木１０Ｃの上下方向の向きとを逆にして（前述したように図７は、両方の幅木１０Ｂ，１０Ｃの厚さ方向が上下方向となっている図になっているため、図７では、下から２段目の幅木１０Ｂの左右方向の向きと、下から３段目の幅木１０Ｃの左右方向の向きとを逆にして）行う。また、この積み重ねは、下から２段目の幅木１０Ｂに対して下から３段目の幅木１０Ｃを、最下段の幅木１０Ａに対して下から２段目の幅木１０Ｂをずらせた側とは反対側へ、幅木１０の長手方向に図８の距離Ｌ３分だけずらせて行う。
これにより、下から２段目の幅木１０Ｂの表側のそれぞれの凹部５５に、下から３段目の幅木１０Ｃの表側のそれぞれの凸部５３を嵌合するとともに、下から２段目の幅木１０Ｂの表側のそれぞれの凸部５３を、下から３段目の幅木１０Ｃの表側のそれぞれの凹部５５に嵌合する。この状態が図１０で示されている。
【００５９】
このように下から２段目の幅木１０Ｂと下から３段目の幅木１０Ｃを積み重ねた場合にも、凸部５３を凹部５５に嵌合する箇所は複数個所できるため、これらの嵌合箇所により、最下段の幅木１０Ａと下から２段目の幅木１０Ｂとの積み重ねと同じく、これらの２段目と３段目の幅木１０Ｂと１０Ｃとの間で位置ずれが生ずることを有効に防止できるとともに、これらの幅木１０Ｂと１０Ｃとの間で水平方向の回転ずれが生ずることも有効に防止できる。
【００６０】
また、幅木本体１１の長手方向のそれぞれの端部の近傍には、同じ距離Ｌ３だけ幅木１０の長手方向に離れて凸部５３と凹部５５が設けられているため、上述したように、下から２段目の幅木１０Ｂに対して下から３段目の幅木１０Ｃを、幅木１０の長手方向であって、最下段の幅木１０Ａに対して下から２段目の幅木１０Ｂをずらせた側とは反対側へ距離Ｌ３分ずらせて積み重ねこともでき、これにより、最下段の幅木１０Ａと下から３段目の幅木１０Ｃとを、幅木１０の長さ方向の位置を略一致させて積み重ねることができることになる。また、前述したように、Ｌ３＝Ｌ１とすることにより、最下段の幅木１０Ａと下から３段目の幅木１０Ｃとを、幅木１０の長さ方向の位置を正確に一致させて積み重ねることができる。
【００６１】
また、凹部５５に嵌合されずに残った凸部５３は、幅木本体１１のウェブ部１１Ａの裏側の面に取り付けられた延長部材１２と対面し、幅木本体１１には幅木１０の表側へ突出しているリング状のビード部５４が形成されているため、このビード部５４により、凹部５５に嵌合されずに残った凸部５３が延長部材１２に当接することはない。このため、下から２段目の幅木１０Ｂと下から３段目の幅木１０Ｃとを安定させて積み重ねことができる。
【００６２】
以上により、下から３段目までの幅木１０Ａ〜１０Ｃが積み重ねられたことになり、下から３段目の幅木１０Ｃは、最下段の幅木１０Ａと同じく、表側が下向きとなっているため、これ以後、下から４段目の幅木１０Ｄは、下から２段目の幅木１０Ｂと同じく、表側が上向きとなって積み重ねられ、下から５段目の幅木１０Ｅは、下から３段目の幅木１０Ｂと同じく、表側が下向きとなって積み重ねられ、これらの積み重ねが繰り返される。
【００６３】
このように積み重ねられた複数の幅木１０は、表裏両側の凸部５１，５３が凹部５２，５５に嵌合することにより、位置ずれが防止され、水平方向の回転ずれも防止されている。
【００６４】
そして、それぞれの幅木１０は、表裏両側の凸部５１，５３と凹部５２，５５と裏側の突出部５０とを含めて寸法、形状、構造を同じにして生産することができるため、これらの幅木１０を有効に量産することができる。
【００６５】
なお、幅木１０の裏側の凸部５１と幅木本体１１の下フランジ部１１Ｃとの間の幅木１０の上下方向における距離と、幅木１０の裏側の凹部５２と幅木本体１１の上フランジ部１１Ｂとの間の幅木１０の上下方向における距離とを同じにし、また、幅木１０の表側の２個の凸部５３のうち、幅木本体１１の上フランジ部１１Ｂ側の凸部５３と、幅木本体１１の上フランジ部１１Ｂとの間の幅木１０の上下方向における距離と、幅木１０の表側の２個の凹部５５のうち、幅木本体１１の下フランジ部１１Ｃ側の凹部５５と、幅木本体１１の下フランジ部１１Ｃとの間の幅木１０の上下方向における距離とを同じにすることにより、それぞれの幅木１０を上下に積み重ねたときに、幅木１０の長手方向と厚さ方向とに直交する方向（幅木１０の幅方向）におけるそれぞれの幅木１０の端部を正確に一致させることができる。
【産業上の利用可能性】
【００６６】
本発明は、建築作業現場、土木作業現場、解体作業現場等の各種作業現場で構築される仮設足場に用いられる仮設足場用幅木を上下に積み重ねるために利用できる。
【図面の簡単な説明】
【００６７】
【図１】図１は、本発明の一実施形態に係る仮設足場用幅木が用いられて構築された仮設足場の全体を示す斜視図である。
【図２】図２は、仮設足場用幅木の表側の面を示す斜視図である。
【図３】図３は、仮設足場用幅木の裏側の面を示す斜視図である。
【図４】図４は、図２のＳ４−Ｓ４線断面図である。
【図５】図５は、仮設足場の布板への幅木の取付作業を開始するときにおける布板と幅木を示す縦断面図である。
【図６】図６は、仮設足場の布板への幅木の取付作業が終了したときにおける布板と幅木を示す縦断面図である。
【図７】図７は、幅木を上下５段に積み重ねた状態を示す側面図である。
【図８】図８は、図７の上下５段の幅木のうち、積み重ねたときにおける下から３段目までの幅木についての左右方向（それぞれの幅木の長手方向）の位置関係を示す図である。
【図９】図９は、最下段の幅木の上に下から２段目の幅木を積み重ねたときに示す縦断面図である。
【図１０】図１０は、下から２段目の幅木の上に下から３段目の幅木を積み重ねたときに示す縦断面図である。
【符号の説明】
【００６８】
１０  仮設足場用幅木
１１  幅木本体
１２  延長部材
１８  幅木本体と延長部材を結合する結合具
５１  幅木の裏側の凸部
５２  幅木の裏側の凹部
５３  幅木の表側の凸部
５５  幅木の表側の凹部
【図１】
2008297745.tif 000003
【図２】
2008297745.tif 000004
【図３】
2008297745.tif 000005
【図４】
2008297745.tif 000006
【図５】
2008297745.tif 000007
【図６】
2008297745.tif 000008
【図７】
2008297745.tif 000009
【図８】
2008297745.tif 000010
【図９】
2008297745.tif 000011
【図１０】
2008297745.tif 000012